【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
フルオロモノマー単位；ならびに
式Ｉのアクリレートモノマー単位、式ＩＩのアクリレートモノマー単位、式ＩＩＩのアクリレートモノマー単位、およびこれらの組合せからなる群から選択されるアクリルモノマー単位
【化１Ａ】
2011518247.tif 000001
（式中、Ｒ１は、Ｃ６〜Ｃ１０アリール、５〜１２員の複素環基、Ｃ１〜Ｃ１０アルキル、Ｃ２〜Ｃ１０アルケニル、Ｃ２〜Ｃ１０アルキニル、またはＣ３〜Ｃ６シクロアルキルであり；Ｒ２は、水素、Ｃ６〜Ｃ１０アリール、５〜１２員の複素環基、Ｃ１〜Ｃ１０アルキル、Ｃ２〜Ｃ１０アルケニル、Ｃ２〜Ｃ１０アルキニル、またはＣ３〜Ｃ６シクロアルキルであり、さらに、Ｒ１およびＲ２は、同一または異なってよい）
を含むコポリマー組成物。
【請求項２】
前記アクリレートモノマー単位が、メチルメタクリレート、エチルメタクリレート、ブチルメタクリレート、ヘキシルメタクリレート、メタクリレート、ｎ−ブチルアクリレート、エチルアクリレート、およびこれらの任意の組合せからなる群から選択される、請求項１に記載のコポリマー組成物。
【請求項３】
フルオロモノマー単位；および
式ＩＶのアクリレートモノマー単位
【化２Ａ】
2011518247.tif 000002
（式中、Ｙは、−ＣＯＯＨ、−ＮＨ２、−ＳＨ、−ＯＨ、−Ｓｉ（ＯＣＨ３）３、
【化１６】
2011518247.tif 000003
からなる群から選択される）
を含むコポリマー組成物。
【請求項４】
フルオロモノマー単位；および
式Ｖのアクリレートモノマー単位、式ＶＩのアクリレートモノマー単位、またはこれらの組合せ
【化３Ａ】
2011518247.tif 000004
を含むコポリマー組成物。
【請求項５】
前記フルオロモノマー単位が、二フッ化ビニリデン、ヘキサフルオロプロピレン、およびこれらの組合せからなる群から選択される、請求項１、３、または４に記載のコポリマー組成物。
【請求項６】
アクリレートのモル％が、５０％以下である、請求項１、３、または４に記載のコポリマー組成物。
【請求項７】
アクリレートのモル％が、１０〜２０％、１０〜５０％、および２５〜５０％からなる群から選択される、請求項１、３、または４に記載のコポリマー組成物。
【請求項８】
３５℃未満、または２０℃未満のガラス転移温度を有する、請求項１、３、または４に記載のコポリマー組成物。
【請求項９】
ランダムコポリマー、ブロックコポリマー、またはグラフトコポリマーである、請求項１、３、または４に記載のコポリマー組成物。
【請求項１０】
抗血栓薬を含む生理活性薬剤をさらに含む、請求項１、３、または４に記載のコポリマー組成物。
【請求項１１】
該組成物の１０モル％未満で存在する付加的モノマー単位をさらに含む、請求項１、３、または４に記載のコポリマー組成物。
【請求項１２】
フルオロポリマー；ならびに
式Ｉのアクリレートモノマー単位、式ＩＩのアクリレートモノマー単位、式ＩＩＩのアクリレートモノマー単位、およびこれらの組合せからなる群から選択されるアクリレートモノマー単位を有するポリアクリレート
【化４Ａ】
2011518247.tif 000005
（式中、Ｒ１は、Ｃ６〜Ｃ１０アリール、５〜１２員の複素環基、Ｃ１〜Ｃ１０アルキル、Ｃ２〜Ｃ１０アルケニル、Ｃ２〜Ｃ１０アルキニル、またはＣ３〜Ｃ６シクロアルキルであり；Ｒ２は、水素、Ｃ６〜Ｃ１０アリール、５〜１２員の複素環基、Ｃ１〜Ｃ１０アルキル、Ｃ２〜Ｃ１０アルケニル、Ｃ２〜Ｃ１０アルキニル、またはＣ３〜Ｃ６シクロアルキルであり、さらに、Ｒ１およびＲ２は、同一または異なってよい）
を含むポリマーブレンド組成物。
【請求項１３】
フルオロモノマーおよびアクリレートモノマーを実質上含まない第３ポリマーをさらに含む、請求項１２に記載のポリマーブレンド組成物。
【手続補正２】
【補正対象書類名】明細書
【補正対象項目名】００２０
【補正方法】変更
【補正の内容】
【００２０】
これまで、後に続く本発明の詳細な説明をよりよく理解できるように、本発明の特徴および技術的利点をどちらかと言えばおおまかに概説してきた。本発明の特許請求の主題を構成する本発明のさらなる特徴および利点を、これより説明する。開示される概念および具体的実施形態を、本発明の同一目的を実施するために、その他の構成を修正または設計するための基礎として容易に利用できることを認識されたい。また、このような等価な構成は、添付の特許請求の範囲に示す本発明から逸脱しないことを理解されたい。本発明の特質であると思われる新たな特徴は、その構成および運用方法の双方に関して、さらなる目的および利点と一緒になって、添付の図面と合わせて熟考すれば、以下の説明からよりよく理解されるであろう。しかし、各図面は、単に図解および説明の目的で提供されるものであり、本発明の限界を規定するものとは解釈されないことを明白に理解されたい。
本発明は、例えば以下の項目を提供する。
（項目１）
フルオロモノマー単位；ならびに
式Ｉのアクリレートモノマー単位、式ＩＩのアクリレートモノマー単位、式ＩＩＩのアクリレートモノマー単位、およびこれらの組合せからなる群から選択されるアクリルモノマー単位（式中、Ｒ１は、Ｃ６〜Ｃ１０アリール、５〜１２員の複素環基、Ｃ１〜Ｃ１０アルキル、Ｃ２〜Ｃ１０アルケニル、Ｃ２〜Ｃ１０アルキニル、またはＣ３〜Ｃ６シクロアルキルであり；Ｒ２は、水素、Ｃ６〜Ｃ１０アリール、５〜１２員の複素環基、Ｃ１〜Ｃ１０アルキル、Ｃ２〜Ｃ１０アルケニル、Ｃ２〜Ｃ１０アルキニル、またはＣ３〜Ｃ６シクロアルキルであり、さらに、Ｒ１およびＲ２は、同一または異なってよい）
を含むコポリマー組成物。
（項目２）
アクリレートのモル％が、５０％以下である、項目１に記載のコポリマー組成物。
（項目３）
アクリレートのモル％が、１０〜２０％、１０〜５０％、および２５〜５０％からなる群から選択される、項目１に記載のコポリマー組成物。
（項目４）
３５℃未満のガラス転移温度を有する、項目１に記載のコポリマー組成物。
（項目５）
２０℃未満のガラス転移温度を有する、項目４に記載のコポリマー組成物。
（項目６）
前記フルオロモノマー単位が、二フッ化ビニリデン、ヘキサフルオロプロピレン、およびこれらの組合せからなる群から選択される、項目１に記載のコポリマー組成物。
（項目７）
ランダムコポリマー、ブロックコポリマー、またはグラフトコポリマーを含む、項目１に記載のコポリマー組成物。
（項目８）
前記アクリレートモノマー単位が、メチルメタクリレート、エチルメタクリレート、ブチルメタクリレート、ヘキシルメタクリレート、メタクリレート、ｎ−ブチルアクリレート、エチルアクリレート、およびこれらの任意の組合せからなる群から選択される、項目１に記載のコポリマー組成物。
（項目９）
生理活性薬剤をさらに含む、項目１に記載のコポリマー組成物。
（項目１０）
前記生理活性薬剤が、抗血栓薬である、項目９に記載のコポリマー組成物。
（項目１１）
該組成物の１０モル％未満で存在する付加的モノマー単位をさらに含む、項目１に記載のコポリマー組成物。
（項目１２）
フルオロモノマー単位；および
式ＩＶのアクリレートモノマー単位（式中、Ｙは、−ＣＯＯＨ、−ＮＨ２、−ＳＨ、−ＯＨ、−Ｓｉ（ＯＣＨ３）３、
【化１６】
2011518247.tif 000006
からなる群から選択される）
を含むコポリマー組成物。
（項目１３）
前記フルオロモノマー単位が、二フッ化ビニリデン、ヘキサフルオロプロピレン、およびこれらの組合せからなる群から選択される、項目１２に記載のコポリマー。
（項目１４）
アクリレートのモル％が、５０％以下である、項目１２に記載のコポリマー組成物。
（項目１５）
アクリレートのモル％が、１０〜２０％、１０〜５０％、および２５〜５０％からなる群から選択される、項目１２に記載のコポリマー組成物。
（項目１６）
３５℃未満のガラス転移温度を有する、項目１２に記載のコポリマー組成物。
（項目１７）
２０℃未満のガラス転移温度を有する、項目１６に記載のコポリマー組成物。
（項目１８）
ランダムコポリマー、ブロックコポリマー、またはグラフトコポリマーを含む、項目１２に記載のコポリマー組成物。
（項目１９）
生理活性薬剤をさらに含む、項目１２に記載のコポリマー組成物。
（項目２０）
前記生理活性薬剤が、抗血栓薬である、項目１９に記載のコポリマー組成物。
（項目２１）
該組成物の１０モル％未満で存在する付加的モノマー単位をさらに含む、項目１２に記載のコポリマー組成物。
（項目２２）
フルオロモノマー単位；および
式Ｖのアクリレートモノマー単位、式ＶＩのアクリレートモノマー単位、またはこれらの組合せ
を含むコポリマー組成物。
（項目２３）
前記フルオロモノマー単位が、二フッ化ビニリデン、ヘキサフルオロプロピレン、およびこれらの組合せからなる群から選択される、項目２２に記載のコポリマー組成物。
（項目２４）
アクリレートのモル％が、５０％以下である、項目２２に記載のコポリマー組成物。
（項目２５）
アクリレートのモル％が、１０〜２０％、１０〜５０％、および２５〜５０％からなる群から選択される、項目２２に記載のコポリマー組成物。
（項目２６）
３５℃未満のガラス転移温度を有する、項目２２に記載のコポリマー組成物。
（項目２７）
２０℃未満のガラス転移温度を有する、項目２６に記載のコポリマー組成物。
（項目２８）
前記コポリマーが、ランダムコポリマー、ブロックコポリマー、またはグラフトコポリマーである、項目２２に記載のコポリマー組成物。
（項目２９）
生理活性薬剤をさらに含む、項目２２に記載のコポリマー組成物。
（項目３０）
前記生理活性薬剤が、抗血栓薬である、項目２９に記載のコポリマー組成物。
（項目３１）
該組成物の１０モル％未満で存在する付加的モノマー単位をさらに含む、項目２２に記載のコポリマー組成物。
（項目３２）
フルオロポリマー；ならびに
式Ｉのアクリレートモノマー単位、式ＩＩのアクリレートモノマー単位、式ＩＩＩのアクリレートモノマー単位、およびこれらの組合せからなる群から選択されるアクリレートモノマー単位を有するポリアクリレート（式中、Ｒ１は、Ｃ６〜Ｃ１０アリール、５〜１２員の複素環基、Ｃ１〜Ｃ１０アルキル、Ｃ２〜Ｃ１０アルケニル、Ｃ２〜Ｃ１０アルキニル、またはＣ３〜Ｃ６シクロアルキルであり；Ｒ２は、水素、Ｃ６〜Ｃ１０アリール、５〜１２員の複素環基、Ｃ１〜Ｃ１０アルキル、Ｃ２〜Ｃ１０アルケニル、Ｃ２〜Ｃ１０アルキニル、またはＣ３〜Ｃ６シクロアルキルであり、さらに、Ｒ１およびＲ２は、同一または異なってよい）
を含むポリマーブレンド組成物。
（項目３３）
フルオロモノマーおよびアクリレートモノマーを実質上含まない第３ポリマーをさらに含む、項目３２に記載のポリマーブレンド。